(57)【特許請求の範囲】
【請求項１】
３ＧＰＰ長期進化ＴＤＤ  ｃｏｎｆｉｇｕｒａｔｉｏｎ  ２における多周期モード半永続スケジューリングに応用されるユーザ・アップリンク・データのスケジューリング方法であって、
アップリンク・ダウンリンク・タイムスロット比率とＰＤＣＣＨが指すアップリンク・サブフレームの位置により、１０ｍｓ無線フレーム内の各アップリンク・サブフレームから開始された多周期モード半永続スケジューリングのため、異なる周期オフセットｄｅｌｔａを設定する設定ステップと、
設定されたｄｅｌｔａにより無線フレーム内の各アップリンク・サブフレームから開始された多周期モード半永続スケジューリングの周期を確定するステップと、
無線フレーム内の各アップリンク・サブフレームから開始された多周期モード半永続スケジューリングの周期により、ユーザ・アップリンクにおける新しい伝送パケットデータをスケジューリングするステップとを含み、
前記設定ステップは、
ダウンリンクデータ伝送に利用できる８個のサブフレームが含まれる１０ｍｓ無線フレーム内のＰＤＣＣＨが指す一つ目のアップリンク・サブフレームから開始された多周期モード半永続スケジューリングのために設定されたｄｅｌｔａは、
Ｄｅｌｔａ＝１＋ｎｕｍｂｅｒ  ｏｆ  ＤＬ  ｓｕｂ−ｆｒａｍｅｓ／２＝５であり、
ダウンリンクデータ伝送に利用できる８個のサブフレームが含まれる１０ｍｓ無線フレーム内のＰＤＣＣＨが指す二つ目のアップリンク・サブフレームから開始された多周期モード半永続スケジューリングのために設定されたｄｅｌｔａは、
Ｄｅｌｔａ＝−１−ｎｕｍｂｅｒ  ｏｆ  ＤＬ  ｓｕｂ−ｆｒａｍｅｓ／２＝−５であるか、
又は、
ダウンリンクデータ伝送に利用できる８個のサブフレームが含まれる１０ｍｓ無線フレーム内のＰＤＣＣＨが指す一つ目のアップリンク・サブフレームから開始された多周期モード半永続スケジューリングのために設定されたｄｅｌｔａは、
Ｄｅｌｔａ＝−１−ｎｕｍｂｅｒ  ｏｆ  ＤＬ  ｓｕｂ−ｆｒａｍｅｓ／２＝−５であり、
ダウンリンクデータ伝送に利用できる８個のサブフレームが含まれる１０ｍｓ無線フレーム内のＰＤＣＣＨが指す二つ目のアップリンク・サブフレームから開始された多周期モード半永続スケジューリングのために設定されたｄｅｌｔａは、
Ｄｅｌｔａ＝１＋ｎｕｍｂｅｒ  ｏｆ  ＤＬ  ｓｕｂ−ｆｒａｍｅｓ／２＝５である
（但し、ｎｕｍｂｅｒ  ｏｆ  ＤＬ  ｓｕｂ−ｆｒａｍｅｓは１０ｍｓ無線フレーム内のダウンリンクデータ伝送に利用できるサブフレームの個数）
ことを含むことを特徴とするユーザ・アップリンク・データのスケジューリング方法。
【請求項２】
無線フレーム内の各アップリンク・サブフレームのために異なるｄｅｌｔａを設定する前に、又、多周期モード半永続スケジューリングの指示を受信するステップを含み、
受信された指示において、多周期モード半永続スケジューリングを採用するという指示である場合、前記無線フレーム内の各アップリンク・サブフレームから開始された多周期モード半永続スケジューリングのために異なるｄｅｌｔａを設定するステップをトリガーして実行する
ことを特徴とする請求項１記載のユーザ・アップリンク・データのスケジューリング方法。
【請求項３】
前記多周期モード半永続スケジューリングの指示は１ビットの情報に含まれることを特徴とする請求項２記載のユーザ・アップリンク・データのスケジューリング方法。
【請求項４】
３ＧＰＰ長期進化ＴＤＤ  ｃｏｎｆｉｇｕｒａｔｉｏｎ  ２における多周期モード半永続スケジューリングに応用されるユーザ・アップリンク・データのスケジューリング方法であって、
１０ｍｓ無線フレーム内の各アップリンク・サブフレームから開始された多周期モード半永続スケジューリングのため、異なる周期オフセットｄｅｌｔａを設定する設定ステップと、
設定されたｄｅｌｔａにより無線フレーム内の各アップリンク・サブフレームから開始された多周期モード半永続スケジューリングの周期を確定するステップと、
無線フレーム内の各アップリンク・サブフレームから開始された多周期モード半永続スケジューリングの周期により、ユーザ・アップリンクにおける新しい伝送パケットデータをスケジューリングするステップとを含み、
前記設定ステップは、
１０ｍｓ無線フレーム内の一つ目のアップリンク・サブフレームから開始された多周期モード半永続スケジューリングのために設定されたｄｅｌｔａ値が５ｍｓであり、 
１０ｍｓ無線フレーム内の二つ目のアップリンク・サブフレームから開始された多周期モード半永続スケジューリングのために設定されたｄｅｌｔａ値が−５ｍｓであるか、
又は、
１０ｍｓ無線フレーム内の一つ目のアップリンク・サブフレームから開始された多周期モード半永続スケジューリングのために設定されたｄｅｌｔａ値が−５ｍｓであり、
１０ｍｓ無線フレーム内の二つ目のアップリンク・サブフレームから開始された多周期モード半永続スケジューリングのために設定されたｄｅｌｔａ値が５ｍｓである
ことを含むことを特徴とするユーザ・アップリンク・データのスケジューリング方法。
【請求項５】
３ＧＰＰ長期進化ＴＤＤ  ｃｏｎｆｉｇｕｒａｔｉｏｎ  ２における多周期モード半永続スケジューリングに応用されるユーザ設備であって、
アップリンク・ダウンリンク・タイムスロット比率とＰＤＣＣＨが指すアップリンク・サブフレームの位置により、１０ｍｓ無線フレーム内の各アップリンク・サブフレームから開始された多周期モード半永続スケジューリングのために異なる周期オフセットｄｅｌｔａを設定する周期オフセット設定モジュールと、
設定されたｄｅｌｔａにより無線フレーム内の各アップリンク・サブフレームから開始された多周期モード半永続スケジューリングの周期を確定する周期設定モジュールと、
無線フレーム内の各アップリンク・サブフレームから開始された多周期モード半永続スケジューリングの周期により、ユーザ・アップリンクにおける新しい伝送パケットデータをスケジューリングするスケジューリング・モジュールと
を含み、
前記周期オフセット設定モジュールが、アップリンク・ダウンリンク・タイムスロット比率とＰＤＣＣＨが指すアップリンク・サブフレームの位置により、ダウンリンクデータ伝送に利用できる８個のサブフレームが含まれる１０ｍｓ無線フレーム内のＰＤＣＣＨが指す一つ目のアップリンク・サブフレームから開始された多周期モード半永続スケジューリングのために設定するｄｅｌｔａは、
Ｄｅｌｔａ＝１＋ｎｕｍｂｅｒ  ｏｆ  ＤＬ  ｓｕｂ−ｆｒａｍｅｓ／２＝５であり、
ダウンリンクデータ伝送に利用できる８個のサブフレームが含まれる１０ｍｓ無線フレーム内のＰＤＣＣＨが指す二つ目のアップリンク・サブフレームから開始された多周期モード半永続スケジューリングのために設定するｄｅｌｔａは、
Ｄｅｌｔａ＝−１−ｎｕｍｂｅｒ  ｏｆ  ＤＬ  ｓｕｂ−ｆｒａｍｅｓ／２＝−５であるか、
又は、
前記周期オフセット設定モジュールが、アップリンク・ダウンリンク・タイムスロット比率とＰＤＣＣＨが指すアップリンク・サブフレームの位置により、ダウンリンクデータ伝送に利用できる８個のサブフレームが含まれる１０ｍｓ無線フレーム内のＰＤＣＣＨが指す一つ目のアップリンク・サブフレームから開始された多周期モード半永続スケジューリングのために設定するｄｅｌｔａは
Ｄｅｌｔａ＝−１−ｎｕｍｂｅｒ  ｏｆ  ＤＬ  ｓｕｂ−ｆｒａｍｅｓ／２＝−５であり、
ダウンリンクデータ伝送に利用できる８個のサブフレームが含まれる１０ｍｓ無線フレーム内のＰＤＣＣＨが指す二つ目のアップリンク・サブフレームから開始された多周期モード半永続スケジューリングのために設定するｄｅｌｔａは、
Ｄｅｌｔａ＝１＋ｎｕｍｂｅｒ  ｏｆ  ＤＬ  ｓｕｂ−ｆｒａｍｅｓ／２＝５である
（但し、ｎｕｍｂｅｒ  ｏｆ  ＤＬ  ｓｕｂ−ｆｒａｍｅｓは１０ｍｓ無線フレーム内のダウンリンクデータ伝送に利用できるサブフレームの個数）
ことを特徴とする３ＧＰＰ長期進化ＴＤＤ  ｃｏｎｆｉｇｕｒａｔｉｏｎ  ２における多周期モード半永続スケジューリングに応用されるユーザ設備。
【請求項６】
多周期モード半永続スケジューリングの指示を受信し、
当該ユーザ設備に対して多周期モード半永続スケジューリングを利用するという指示を受信した場合、前記周期オフセット設定モジュールをトリガーし、無線フレーム内の各アップリンク・サブフレームから開始された多周期モード半永続スケジューリングのために異なるｄｅｌｔａを設定する
受信モジュールを含むことを特徴とする請求項５記載のユーザ設備。
【請求項７】
３ＧＰＰ長期進化ＴＤＤ  ｃｏｎｆｉｇｕｒａｔｉｏｎ  ２における多周期モード半永続スケジューリングに応用されるユーザ設備であって、
１０ｍｓ無線フレーム内の各アップリンク・サブフレームから開始された多周期モード半永続スケジューリングのために異なる周期オフセットｄｅｌｔａを設定する周期オフセット設定モジュールと、
設定されたｄｅｌｔａにより無線フレーム内の各アップリンク・サブフレームから開始された多周期モード半永続スケジューリングの周期を確定する周期設定モジュールと、
無線フレーム内の各アップリンク・サブフレームから開始された多周期モード半永続スケジューリングの周期により、ユーザ・アップリンクにおける新しい伝送パケットデータをスケジューリングするスケジューリング・モジュールと
を含み、
前記周期オフセット設定モジュールが１０ｍｓ無線フレーム内の一つ目のアップリンク・サブフレームから開始された多周期モード半永続スケジューリングのために設定するｄｅｌｔａは５ｍｓであり、１０ｍｓ無線フレーム内の二つ目のアップリンク・サブフレームから開始された多周期モード半永続スケジューリングのために設定するｄｅｌｔａは−５ｍｓであるか、
又は、
前記周期オフセット設定モジュールが１０ｍｓ無線フレーム内の一つ目のアップリンク・サブフレームから開始された多周期モード半永続スケジューリングのために設定するｄｅｌｔａは−５ｍｓであり、１０ｍｓ無線フレーム内の二つ目のアップリンク・サブフレームから開始された多周期モード半永続スケジューリングのために設定するｄｅｌｔａは５ｍｓである
ことを特徴とする３ＧＰＰ長期進化ＴＤＤ  ｃｏｎｆｉｇｕｒａｔｉｏｎ  ２における多周期モード半永続スケジューリングに応用されるユーザ設備。
【発明の詳細な説明】
【技術分野】
【０００１】
本発明は移動通信領域に係り、特に３ＧＰＰ ＬＴＥ ＴＤＤ  ｃｏｎｆｉｇｕｒａｔｉｏｎ  ２に応用されるユーザ・アップリンク・データのスケジューリング方法及びユーザ設備に関する。
【背景技術】
【０００２】
半永続スケジューリングは３Ｇ ＬＴＥ(Ｌｏｎｇ  Ｔｅｒｍ Ｅｖｏｌｕｔｉｏｎ、長期進化）において、ダウンリンク物理制御チャネル（ＰＤＣＣＨ）を節約するために提出された新しいスケジューリング方法であり、最初は、主にＶｏＩＰ（Ｖｏｉｃｅ  ｏｖｅｒ  ＩＰ、ＩＰに基づく音声伝送）サービスに対して提出されたものである。半永続スケジューリング（Ｓｅｍｉ−Ｐｅｒｓｉｓｔｅｎｔ  Ｓｃｈｅｄｕｌｉｎｇ、ＳＰＳと略称）の基本的な思想は、ＶｏＩＰサービスにおける新しい伝送パケットの到着間隔が２０ｍｓであるため、ＲＰＣ（無線リソース制御）シグナリングにより、保留リソースの周期を指示して、そして、一本のダウンリンク物理制御チャネル（ＰＤＣＣＨ ）により、予め保留された時間周波数域リソースを活性化し、その後は２０ｍｓおきに固定位置におけるリソースを利用してデータを伝送できるようになり、ＰＤＣＣＨによって各新伝送パケットにリソース割当の指示が要らなくなる。又、再送パケットは予測できない特性があるため、再送パケットの占用リソースが予め保留できず、動的スケジューリングが必要になる。上記の原因で、半永続スケジューリングと呼ばれることになった。図１に示すようである。
【先行技術文献】
【特許文献】
【０００３】
【特許文献１】中華人民共和国特許公報第１０１１９３４４４号明細書
【０００４】
ＬＴＥ ＴＤＤ(Ｔｉｍｅ  Ｄｉｖｉｓｉｏｎ  Ｄｕｐｌｅｘ、時分割復信）システムにおいて、アップリンク・ダウンリンク・タイムスロットの比率が全部でｃｏｎｆｉｇｕｒａｔｉｏｎ０〜６の７種であり、その中の５種のタイムスロット比率において、アップリンク伝送に対応するＨＡＲＱ（混合自動再伝送要請）のＲＴＴ ( Ｒｏｕｎｄ  Ｔｒｉｐ  Ｔｉｍｅ、往復時間）が全て１０ｍｓである。ＴＤ−ＬＴＥ（即ち、ＴＤＤ  ＬＴＥ ）のアップリンクは同期非自己適合ＨＡＲＱに基づき、即ち、ＰＤＣＣＨ 指示がない場合、再送パケットは新しい伝送パケット（即ち、新規に伝送するパケット）と同じリソースを占用し、同じ伝送フォーマットを採用するため、第二回に再送されたＨＡＲＱパケットの占用リソースは、現在の半永続スケジューリングにより割り当てられ、新しい伝送パケットに利用されるリソースと衝突する可能性がある。図２に示すように、図２における１、２、３はそれぞれと、アップリンク同期ＨＡＲＱのプロセス番号（一つの新しい伝送パケットと対応する再送パケットは同じＨＡＲＱプロセス番号を持つ）を表示し、わかるように、アップリンクＨＡＲＱプロセス１と２は同一ＵＥのデータ伝送に利用された場合、アップリンクＨＡＲＱプロセス１における新しい伝送パケットが送信された２０ｍｓ後、当該プロセスの再送パケットとアップリンクＨＡＲＱプロセス２の新しい伝送パケットが同じリソースを占用してしまうため、リソース衝突を引き起こす。
【０００５】
ＴＤ−ＬＴＥ半永続スケジューリングにおける再送パケットと新しい伝送パケットの間のリソース衝突を解決するため、多周期モード半永続スケジューリングという技術案が提出された。通常のＶｏＩＰサービスに適用する半永続スケジューリング周期（即ち、リソース割当間隔）は２０ｍｓであるが、しかし、当該技術案における多周期モード半永続スケジューリングは、Ｔ１とＴ２という二つの周期があり、Ｔ１＋Ｔ２＝４０ｍｓとし、且つＴ１とＴ２は交代で出現する。Ｔ１とＴ２の関係は
Ｔ１＝ＳＰＳ  ｐｅｒｉｏｄｉｃｉｔｙ＋ｄｅｌｔａ                （１）
Ｔ２＝ＳＰＳ  ｐｅｒｉｏｄｉｃｉｔｙ−ｄｅｌｔａ                （２）
のように表示でき、そのうち、ＳＰＳ  ｐｅｒｉｏｄｉｃｉｔｙは半永続スケジューリングの周期を表示し、ＶｏＩＰサービスの場合は２０ｍｓであり、ｄｅｌｔａは半永続スケジューリング周期のオフセットである。
【０００６】
式（１）と式（２）におけるｄｅｌｔａ値に対して、ＴＤ−ＬＴＥアップリンク・ダウンリンク・タイムスロットの配置状況と半永続スケジューリング開始点のアップリンク・サブフレームが一つのＴＤＤ周期における位置により指定できるという技術案が既に提出されていた。即ち、半永続スケジューリングはある特定なアップリンク・サブフレームから開始する際、そのｄｅｌｔａ値は唯一に確定されたもので、ＲＲＣシグナリングにより具体的にどのｄｅｌｔａ値を利用するかをＵＥ（Ｕｓｅｒ  Ｅｑｕｉｐｍｅｎｔ）に通知する必要がなく、多周期の半永続スケジューリングを利用するかどうかを１ビットのＲＲＣシグナリングで指示するだけで良い。例えば、ＴＤＤ  ｃｏｎｆｉｇｕｒａｔｉｏｎ  ２の場合、５ｍｓのＴＤＤ周期毎に１つのアップリンク・サブフレームのみがあり、当該技術案により、ｄｅｌｔａ値を計算する公式は
Ｄｅｌｔａ＝１＋ｎｕｍｂｅｒ  ｏｆ  ＤＬ  ｓｕｂ−ｆｒａｍｅｓ          （３）
又は、Ｄｅｌｔａ＝−１−ｎｕｍｂｅｒ  ｏｆ  ＤＬ  ｓｕｂ−ｆｒａｍｅｓ  （４）
となる。
【０００７】
そのうち、式（３）と式（４）におけるｎｕｍｂｅｒ  ｏｆ  ＤＬ  ｓｕｂ−ｆｒａｍｅｓは５ｍｓ ＴＤＤ周期におけるダウンリンク・サブフレーム（そのうち、特殊タイムスロットはダウンリンクデータを伝送できるため、ダウンリンク・サブフレームと見なすことができる）の個数であり、ＴＤＤ  ｃｏｎｆｉｇｕｒａｔｉｏｎ ２の場合のＶｏＩＰサービスに対しては、ダウンリンク・サブフレーム数が４個であり、そのため、任意のアップリンク・サブフレームから開始された多周期半永続スケジューリングに対応するｄｅｌｔａ値は全て５ｍｓ又は−５ｍｓである。
【０００８】
図３は多周期モード半永続スケジューリングのイメージを示す図である。図３における１、２、３、４はそれぞれと同一ＵＥのアップリンク同期ＨＡＲＱのプロセス番号を表示し、図３で分かるように、プロセス１の第二回再送パケットとプロセス２の新しい伝送パケットの間、及び他のプロセスの第二回再送パケットと新しい伝送パケットの間は、全てリソース衝突を発生していない。
【０００９】
図４はＴＤＤ  ｃｏｎｆｉｇｕｒａｔｉｏｎ  ２の場合のｄｅｌｔａ値の設定及びＨＡＲＱパケットの利用できるリソースを示した。そのうち、アップリンクＨＡＲＱプロセス１と２に対応するｄｅｌｔａ値は全て５であり、図４において、Ｄはダウンリンク・サブフレーム（ＤＬ ｓｕｂ−ｆｒａｍｅ）を表示し、Ｕはアップリンク・サブフレーム（ＵＬ ｓｕｂ−ｆｒａｍｅ)を表示し、Ｓは特殊サブフレーム（即ち、特殊タイムスロット）を表示する。アップリンクＨＡＲＱプロセス１とアップリンクＨＡＲＱプロセス２の再送間隔は全て１０ｍｓであり、４０ｍｓフレーム内において、ＨＡＲＱプロセス１は第３、第１３、第２３、第３３のＵＬ Ｓｕｂ −ｆｒａｍｅリソースを利用でき、ＨＡＲＱプロセス２は第８、第１８、第２８、第３８のＵＬ ｓｕｂ −ｆｒａｍｅリソースを利用できる。
【００１０】
前記従来技術の欠点としては、ＴＤＤ  ｃｏｎｆｉｇｕｒａｔｉｏｎ  ２の場合に対して、多周期半永続スケジューリングに対応するｄｅｌｔａ値は全て５ｍｓであれば、
Ｔ１ ＝ ＳＰＳ ｐｅｒｉｏｄｉｃｉｔｙ ＋ｄｅｌｔａ＝２０＋５＝２５ｍｓ
となり、そのような配置において、４０ｍｓ内で全部で８個のアップリンク・サブフレームがあり、そのうち、多周期モード半永続スケジューリングに利用できるアップリンク・サブフレームは６個のみである。図５に示すように、４０ｍｓ内でＵＥ  Ａに対して多周期モード半永続スケジューリングにより割り当てられたリソースは第３、第２８のアップリンク・サブフレーム（即ち、当該ＵＥの２つのアップリンクＨＡＲＱプロセスはそれぞれと第３、第２８のアップリンク・サブフレームを占用する）に対応し、同様に、ＵＥ  Ｂに対して多周期モード半永続スケジューリングにより割り当てられたリソースは第８、第３３のアップリンク・サブフレームに対応し、ＵＥ  Ｃに対して多周期モード半永続スケジューリングにより割り当てられたリソースは第１３、第３８のアップリンク・サブフレームに対応する。見出すように、第１８、第２３のアップリンク・サブフレームは多周期モード半永続スケジューリングに利用できなく、リソース利用が不十分となる。第１８、第２３のアップリンク・サブフレームを多周期モード半永続スケジューリングに利用するには、その２つのアップリンク・サブフレームを動的スケジューリングしてユーザデータにおける新しい伝送パケットの伝送に利用しなければならない。しかし、そうすると、スケジューリングコストを増加し、アップリンク伝送に対して多くの制限が加えられ、且つシステム性能にも影響を及ぼしていた。同じ理由で、全ての多周期半永続スケジューリングに対応するｄｅｌｔａ値が−５ｍｓである場合、上述の問題も同じく存在する。
【発明の概要】
【発明が解決しようとする課題】
【００１１】
本発明の実施形態はユーザ・アップリンク・データのスケジューリング方法及びユーザ設備を提案している。３ＧＰＰ ＬＴＥ ＴＤＤ  ｃｏｎｆｉｇｕｒａｔｉｏｎ  ２における多周期モード半永続スケジューリングに応用され、従来技術における多周期モード半永続スケジューリングのリソースの低利用率を解決し、同時にリソース利用率を向上させるために動的スケジューリングを採用する際、余計なシステムコストを増加するという従来の問題点も解決できる。
【課題を解決するための手段】
【００１２】
本発明の実施形態に係るユーザ・アップリンク・データのスケジューリング方法は、無線フレーム内の各アップリンク・サブフレームから開始された多周期モード半永続スケジューリングのため、異なる周期オフセットｄｅｌｔａを設定し、設定されたｄｅｌｔａにより無線フレーム内の各アップリンク・サブフレームから開始された多周期モード半永続スケジューリングの周期を確定し、無線フレーム内の各アップリンク・サブフレームから開始された多周期モード半永続スケジューリングの周期により、ユーザ・アップリンクにおける新しい伝送パケットデータをスケジューリングすることを含む。
【００１３】
本発明の実施形態に係るユーザ設備は、無線フレーム内の各アップリンク・サブフレームから開始された多周期モード半永続スケジューリングのため、異なる周期オフセットｄｅｌｔａを設定する周期オフセット設定モジュールと、設定されたｄｅｌｔａにより、無線フレーム内の各アップリンク・サブフレームから開始された多周期モード半永続スケジューリングの周期を確定する周期設定モジュールと、無線フレーム内の各アップリンク・サブフレームから開始された多周期モード半永続スケジューリングの周期により、ユーザ・アップリンクにおける新しい伝送パケットデータをスケジューリングするスケジューリング・モジュールとを含む。
【発明の効果】
【００１４】
本発明の上述した実施形態は、無線フレーム内の各アップリンク・サブフレームから開始された多周期モード半永続スケジューリングのため、異なる周期オフセットｄｅｌｔａを設定し、設定されたｄｅｌｔａにより無線フレーム内の各アップリンク・サブフレームから開始された多周期モード半永続スケジューリングの周期を確定し、全てのアップリンク・サブフレームを多周期モード半永続スケジューリングに利用することを可能とし、一部のアップリンクリソースが多周期モード半永続スケジューリングに利用できないという従来技術の問題点を克服し、又、そのような多周期モード半永続スケジューリングに利用できないアップリンクリソースの利用率を向上するため、動的スケジューリングを採用する際、余計なシステムコストと複雑さを増加させるという従来技術の欠陥も克服し、リソース利用率を向上させ、且つ容易に実施できる。
【図面の簡単な説明】
【００１５】
【図１】従来技術に係る半永続スケジューリングのイメージを示す図である。
【図２】従来技術に係るＴＤ−ＬＴＥ半永続スケジューリングにおいて、再送パケットと新しい伝送パケットの間のリソース衝突のイメージを示す図である。
【図３】従来技術に係る多周期モード半永続スケジューリングのイメージを示す図である。
【図４】従来技術におけるＴＤＤ  ｃｏｎｆｉｇｕｒａｔｉｏｎ  ２の場合のＤｅｌｔａ値及びアップリンク・データ・リソースのイメージを示す図である。
【図５】従来技術におけるＴＤＤ  ｃｏｎｆｉｇｕｒａｔｉｏｎ  ２の場合、異なるＵＥに対するアップリンク・データ・リソース割当のイメージを示す図である。
【図６】本発明の実施形態におけるＴＤＤ  ｃｏｎｆｉｇｕｒａｔｉｏｎ  ２の場合、ＵＥがアップリンク・データ・リソースのスケジューリングを行うフローを示す図である。
【図７】本発明の実施形態におけるＴＤＤ  ｃｏｎｆｉｇｕｒａｔｉｏｎ  ２の場合、異なるＵＥに対するアップリンク・データ・リソース割当のイメージを示す図である。
【図８】本発明の実施形態に係るＵＥの構造イメージを示す図である。
【発明を実施するための形態】
【００１６】
従来技術の欠陥に対して、本発明の実施形態は一種のユーザデータのスケジューリング方法及びユーザ設備を提供し、３ＧＰＰ ＬＴＥ ＴＤＤ  ｃｏｎｆｉｇｕｒａｔｉｏｎ  ２における多周期モード半永続スケジューリングに応用され、従来の多周期半永続スケジューリングのリソース利用率が低いという問題点を解決する。以下は図面を参照しながら本発明の実施形態に係る主な実現原理と具体的な実施過程及び有益な効果について詳しく説明する。
【００１７】
本発明の実施形態は、従来のＴＤ−ＬＴＥの半永続スケジューリング多周期モードの配置方式に対して改造を行った。即ち、ＴＤＤ  ｃｏｎｆｉｇｕｒａｔｉｏｎ  ２の場合に対して、 ＵＥは無線フレーム内の異なるアップリンク・サブフレームから開始された多周期モード半永続スケジューリングのため、異なるｄｅｌｔａを設定し、設定されたｄｅｌｔａにより、無線フレーム内の異なるアップリンク・サブフレームから開始された多周期モード半永続スケジューリングの周期（式（１）と式（２）を参照して多周期モード半永続スケジューリング周期を設定できる）を確定し、そして、各アップリンク・サブフレームから開始された多周期モード半永続スケジューリングの周期により、ユーザデータにおける新しい伝送パケットをスケジューリングできるようになる。
【００１８】
そのうち、ｄｅｌｔａの値は、ＴＤ−ＬＴＥアップリンク・ダウンリンク・タイムスロットの配置状況とＰＤＣＣＨが指すアップリンク・サブフレームの位置により指定でき、以下の二種の方式を採用できる。
【００１９】
方式一
【００２０】
１０ｍｓのＴＤＤ周期（即ち、１つのＲＴＴ周期、又は１つのｒａｄｉｏ ｆｒａｍｅ、 無線フレーム）における一つ目のアップリンク・サブフレームに対して、ｄｅｌｔａの設定公式は、
Ｄｅｌｔａ＝１＋ｎｕｍｂｅｒ  ｏｆ  ＤＬ  ｓｕｂ− ｆｒａｍｅｓ／２      （５）
であっても良い。
【００２１】
１０ｍｓのＴＤＤ周期における二つ目の（最後の一つでもある）アップリンク・サブフレームに対して、ｄｅｌｔａの設定公式は、
Ｄｅｌｔａ ＝−１−ｎｕｍｂｅｒ  ｏｆ  ＤＬ  ｓｕｂ− ｆｒａｍｅｓ／２    （６）
であっても良い。
【００２２】
方式二
【００２３】
１０ｍｓのＴＤＤ周期における一つ目のアップリンク・サブフレームに対して、ｄｅｌｔａの設定公式は
Ｄｅｌｔａ ＝−１−ｎｕｍｂｅｒ  ｏｆ  ＤＬ  ｓｕｂ− ｆｒａｍｅｓ／２    （７）であっても良い。
１０ｍｓのＴＤＤ周期における二つ目の（最後の一つでもある）アップリンク・サブフレームに対して、ｄｅｌｔａの設定公式は、
Ｄｅｌｔａ＝１＋ｎｕｍｂｅｒ  ｏｆ  ＤＬ  ｓｕｂ− ｆｒａｍｅｓ／２      （８）
であっても良い。
【００２４】
ＴＤＤ  ｃｏｎｆｉｇｕｒａｔｉｏｎ  ２におけるＶｏＩＰサービスに対して、１０ｍｓのＴＤＤ周期に、８個のＤＬ ｓｕｂ−ｆｒａｍｅ（そのうち、特殊タイムスロットをダウンリンク・サブフレームと見なす）があり、１０ｍｓのＴＤＤ周期に、２個のアップリンク・サブフレームがあり、そうすると、上述ｄｅｌｔａの計算公式で得られるように、一つ目のアップリンク・サブフレームから開始された多周期モード半永続スケジューリングは５ｍｓのｄｅｌｔａ値に対応し、二つ目のアップリンク・サブフレームから開始された多周期モード半永続スケジューリングは−５ｍｓのｄｅｌｔａ値に対応し、又は、一つ目のアップリンク・サブフレームから開始された多周期モード半永続スケジューリングは−５ｍｓのｄｅｌｔａ値に対応し、二つ目のアップリンク・サブフレームから開始された多周期モード半永続スケジューリングは５ｍｓのｄｅｌｔａ値に対応する。
【００２５】
以下はＴＤＤ  ｃｏｎｆｉｇｕｒａｔｉｏｎ  ２におけるＶｏＩＰサービスを例として、ＵＥが上述した半永続スケジューリング多周期モードの配置方式により、アップリンクにおける新しい伝送パケットをスケジューリングする過程を記述する。
【００２６】
図６は本発明の実施形態におけるＴＤＤ  ｃｏｎｆｉｇｕｒａｔｉｏｎ  ２の場合、ＵＥがアップリンク・データをスケジューリングする一種のフローを示す図であり、以下のステップを含み、
ステップ６０１、ＵＥはネットワーク側から送信された多周期モード半永続スケジューリングの指示を受信する。
【００２７】
本ステップにおいて、ネットワーク側（通常は基地局）は、ＲＲＣシグナリングによりＵＥを多周期モード半永続スケジューリングを利用させるようにトリガーし、当該ＲＲＣシグナリングは、多周期半永続スケジューリングを利用するかどうかをＵＥに指示する１ｂｉｔの指示情報を含む。例えば、０は多周期モード半永続スケジューリングを利用することを示し、１は多周期モード半永続スケジューリングを利用しないことを示す。
【００２８】
ステップ６０２、ＵＥは受信された指示により、１０ｍｓ無線フレーム内の各アップリンク・サブフレームから開始された多周期モード半永続スケジューリングのため、異なるｄｅｌｔａを設定し、設定されたｄｅｌｔａにより、１０ｍｓ無線フレーム内の各アップリンク・サブフレームに対応する多周期モード半永続スケジューリングの周期を確定する。
【００２９】
本ステップにおいて、式（５）と（６）により、１０ｍｓ無線フレーム内の一つ目のアップリンク・サブフレームから開始された多周期モード半永続スケジューリングのために設定されたｄｅｌｔａ値は５ｍｓであり、１０ｍｓ無線フレーム内の二つ目のアップリンク・サブフレームから開始された多周期モード半永続スケジューリングのために設定されたｄｅｌｔａ値は−５ｍｓであり、そして、式（１）と式（２）により、１０ｍｓ無線フレーム内の２つのアップリンク・サブフレームから開始された多周期モード半永続スケジューリングの周期Ｔ１ 、Ｔ２をそれぞれと取得し、そのうち、
１０ｍｓ無線フレーム内の一つ目のアップリンク・サブフレームから開始された多周期モード半永続スケジューリングの周期Ｔ１・Ｔ２は、
Ｔ１＝ＳＰＳ ｐｅｒｉｏｄｉｃｉｔｙ＋ｄｅｌｔａ＝２０ｍｓ＋５ｍｓ＝２５ｍｓ 
Ｔ２＝ＳＰＳ ｐｅｒｉｏｄｉｃｉｔｙ−ｄｅｌｔａ＝２０ｍｓ−５ｍｓ＝１５ｍｓ 
となり、
１０ｍｓ無線フレーム内の二つ目のアップリンク・サブフレームから開始された多周期モード半永続スケジューリングの周期Ｔ１・Ｔ２は、
Ｔ１＝ＳＰＳ ｐｅｒｉｏｄｉｃｉｔｙ＋ｄｅｌｔａ＝２０ｍｓ−５ｍｓ＝１５ｍｓ 
Ｔ２＝ＳＰＳ ｐｅｒｉｏｄｉｃｉｔｙ−ｄｅｌｔａ＝２０ｍｓ＋５ｍｓ＝２５ｍｓ
となる。
【００３０】
ステップ６０３、ＵＥは確定された多周期モード半永続スケジューリングの周期により、アップリンクにおける新しい伝送パケットをスケジューリングする。
【００３１】
本ステップにおいて、半永続スケジューリングＰＤＣＣＨ により、１０ｍｓ無線フレームにおける一つ目のアップリンク・サブフレームからデータ伝送を開始するように割り当てられたＵＥは、交代して出現されたＴ１ 、Ｔ２（即ち、２５ｍｓ、１５ｍｓ）によって新しい伝送パケットの伝送を行い、半永続スケジューリングＰＤＣＣＨ により、１０ｍｓ無線フレームにおける二つ目のアップリンク・サブフレームからデータ伝送を開始するように割り当てられたＵＥは、交代して出現されたＴ１ 、Ｔ２ （即ち、１５ｍｓ、２５ｍｓ）によって新しい伝送パケットの伝送を行う。
【００３２】
図７はＴＤＤ  ｃｏｎｆｉｇｕｒａｔｉｏｎ  ２の場合、ＶｏＩＰサービスを行う際、上述した本発明の実施形態に係るプロセスを採用し、アップリンクにおける新しい伝送パケットのリソース割当のイメージを示す図である。図７に示すように、４０ｍｓの内で、ＵＥ  Ａに対する多周期モード半永続スケジューリングの割当リソースは、第３と第２８のアップリンク・サブフレームに対応し（即ち、当該ＵＥの２つのアップリンクにおける新しい伝送パケットのプロセスはそれぞれと第３と第２８のアップリンク・サブフレームを占用する）、同様に、ＵＥ  Ｂに対する多周期モード半永続スケジューリングの割当リソースは、第８と第２３のアップリンク・サブフレームに対応し、ＵＥ  Ｃに対する多周期モード半永続スケジューリング割当リソースは、第１３と第３８のアップリンク・サブフレームに対応し、ＵＥ  Ｅに対する多周期モード半永続スケジューリングの割当リソースは、第１８と第３３のアップリンク・サブフレームに対応する。わかるように、４０ｍｓの内の８個のアップリンク・サブフレームは全て多周期モード半永続スケジューリングに利用できるようになった。従って、いつも２５％のアップリンクリソースが多周期モード半永続スケジューリングに利用できないという従来技術の問題点を克服し、リソースの利用率を向上した。又、そのような多周期モード半永続スケジューリングに利用できないアップリンクリソースの利用率を向上させるために動的スケジューリングを採用する際、余計なシステムコストを増加するという従来技術の欠陥も克服できる。
【００３３】
図６のプロセスと同じ技術思想を元に、本発明の実施形態は又、ＴＤＤ  ｃｏｎｆｉｇｕｒａｔｉｏｎ  ２における多周期モード半永続スケジューリングに応用されるユーザ設備を提案している。
【００３４】
図８は本発明の実施形態に係るＵＥの構造イメージを示す図であり、当該ＵＥは、
無線フレーム（通常は１０ｍｓ無線フレーム）内の各アップリンク・サブフレームから開始された多周期モード半永続スケジューリングのため、異なるｄｅｌｔａを設定する周期オフセット設定モジュールと、 
設定されたｄｅｌｔａにより、１０ｍｓ無線フレーム内の各アップリンク・サブフレームから開始された多周期モード半永続スケジューリングの周期を確定する周期設定モジュールと、
１０ｍｓ無線フレーム内の各アップリンク・サブフレームから開始された多周期モード半永続スケジューリングの周期により、ユーザデータにおける新しい伝送パケットをスケジューリングするスケジューリング・モジュールとを含む。
【００３５】
上述した周期オフセット設定モジュールは、アップリンク・ダウンリンク・タイムスロット比率とＰＤＣＣＨが指すアップリンク・サブフレームの位置により、ｄｅｌｔａを設定でき、具体的な設定方式は前述と同じなので、ここで省略する。
【００３６】
上述したユーザ設備は又、受信ネットワーク側（通常は基地局）から送信された多周期モード半永続スケジューリングの指示を受信し、当該指示が１ビットで、多周期モード半永続スケジューリングを採用することを表示し、周期オフセット設定モジュールをトリガーし、上述方式でｄｅｌｔａ値を設定させる受信モジュールを含んでも良い。
【００３７】
以上はＶｏＩＰサービスのみを例として記述したが、本発明はＶｏＩＰサービスに限られず、他のサービスの種類に対しても、上述技術案を参照してユーザ・アップリンクにおける新しい伝送パケットをスケジューリングすることもできる。
【００３８】
当業者により、上述した実施形態に記述された技術的な解決手段を改造し、またはその中の一部の技術要素を置換することもできる。そのような改造と置換は本発明の各実施形態の技術の範囲から逸脱するとは見なされない。
【図１】
0005421377.tif 000002
【図６】
0005421377.tif 000003
【図８】
0005421377.tif 000004
【図２】
0005421377.tif 000005
【図３】
0005421377.tif 000006
【図４】
0005421377.tif 000007
【図５】
0005421377.tif 000008
【図７】
0005421377.tif 000009